【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】  本文データ部と部品データ登録部と部品データとを含む電子書籍コンテンツであって、
前記本文データ部は、複数の表示領域を表示順に指定する記述と、該表示領域において表示または再生する部品データに対して設定された識別子を指定する記述とを含み、
前記部品データ登録部は、部品データごとに、部品データに設定された前記識別子と、部品データのファイル名を含む部品データ関連情報とを対応付けて記録する領域を含む、電子書籍コンテンツ。
【請求項２】  前記表示領域とはページである、請求項１記載の電子書籍コンテンツ。
【請求項３】  前記本文データ部は、前記表示領域内での部品データの再生方法を指定するイベントデータを含むことを特徴とする、請求項１記載の電子書籍コンテンツ。
【請求項４】  前記識別子は、前記部品データの部分に対して設定され、前記部品データ登録部は、前記識別子を部品データの部分に対応付けて記録する領域を持つ、請求項１記載の電子書籍コンテンツ。
【請求項５】  前記本文データ部は、前記電子書籍コンテンツを表示する時の表示形態に対応したイベントデータを複数含む、請求項３記載の電子書籍コンテンツ。
【請求項６】  前記電子書籍コンテンツは、電子書籍表示装置の種別に対応した本文データ部を複数含む、請求項１〜５のいずれかに記載の電子書籍コンテンツ。
【請求項７】  前記本文データ部はさらに、書籍の章構成が記述される章構成情報を含み、
前記章構成情報は、章毎に試読制御方法を指定する情報が記述される、請求項１〜６のいずれかに記載の電子書籍コンテンツ。
【請求項８】  本文データ部と部品データ登録部と部品データとを含む電子書籍コンテンツが記録されたコンピュータによって読み取り可能な記録媒体であって、
前記本文データ部は、複数の表示領域を表示順に指定する記述と、該表示領域において表示または再生する部品データに対して設定された識別子を指定する記述とを含み、
前記部品データ登録部は、部品データごとに、部品データに設定された前記識別子と、部品データのファイル名を含む部品データ関連情報とを対応付けて記録する領域を含む、電子書籍コンテンツが記録された記録媒体。
【請求項９】  本文データ部と部品データ登録部と部品データとを含む電子書籍コンテンツを表示する電子書籍表示装置であって、
前記本文データ部は、複数の表示領域を表示順に指定する記述と、該表示領域において表示または再生する部品データに対して設定された識別子を指定する記述とを含み、
前記部品データ登録部は、部品データごとに、部品データに設定された前記識別子と、部品データのファイル名を含む部品データ関連情報とを対応付けて記録する領域を含み、
前記本文データ部を読み込むための本文データ読込手段と、
前記本文データ読込手段によって読み込まれた前記表示領域ごとに、該表示領域において表示または再生する部品データに対して設定された識別子を参照して、前記部品データ登録部に記録された、前記識別子に対する部品データ関連情報を参照して、部品データを読み込むためのオブジェクト読込手段と、
前記オブジェクト読込手段によって読み込まれた部品データを前記表示領域において表示または再生するための出力手段とを含む、電子書籍表示装置。
【請求項１０】  前記本文データ部は、前記表示領域内での部品データの再生方法を指示するイベントデータを含み、
前記電子書籍表示装置はさらに、前記イベントデータを読み込むイベント読込手段を含み、
前記出力手段は、前記イベント読込手段によって読み込まれたイベントデータに応じて、部品データの表示または再生方法を制御することを特徴とする、請求項９記載の電子書籍表示装置。
【請求項１１】  本文データ部と部品データ登録部と部品データ部とを含む電子書籍コンテンツを送信する電子書籍送信装置であって、
前記本文データ部は、複数の表示領域を表示順に指定する記述と、該表示領域において表示または再生する部品データに対して設定された識別子を指定する記述とを含み、
前記部品データ登録部は、部品データごとに、部品データに設定された前記識別子と、部品データのファイル名を含む部品データ関連情報とを対応付けて記録する領域を含み、
前記電子書籍コンテンツを複数格納するための格納手段と、
前記格納手段に格納された複数の電子書籍コンテンツの中から所望の電子書籍コンテンツを送信するための送信手段とを含む、電子書籍送信装置。
【請求項１２】  前記表示する時の表示形態には、電子書籍コンテンツを見開き状態で表示する第１の形態と、１画面で表示する第２の形態とが存在し、
前記イベントデータには、少なくとも、第１の形態時のみに実行される見開き用イベントデータと、第２の形態時のみに実行される片面用イベントデータと、第１の形態と第２の形態とのいずれであっても実行される共用イベントデータとを含む、請求項５記載の電子書籍コンテンツ。
【請求項１３】  前記部品データ登録部には、部品データ毎に試読制御方法を指定する情報が記述される、請求項１〜７のいずれかに記載の電子書籍コンテンツ。
【請求項１４】  前記イベントデータは、前記部品データを表示するタイミングを指示する情報を含む、請求項３記載の電子書籍コンテンツ。
【請求項１５】  前記イベントデータは、前記表示部に表示された前記部品データ内を指示することに応答して実行する処理内容を記録する情報を含む、請求項３記載の電子書籍コンテンツ。
【手続補正２】
【補正対象書類名】明細書
【補正対象項目名】００１１
【補正方法】変更
【補正の内容】
【００１１】
【課題を解決するための手段】
請求項１に記載の電子書籍コンテンツは、本文データ部と部品データ登録部と部品データとを含む電子書籍コンテンツであって、本文データ部は、複数の表示領域を表示順に指定する記述と、表示領域において表示または再生する部品データに対して設定された識別子を指定する記述とを含み、部品データ登録部は、部品データごとに、部品データに設定された識別子と、部品データのファイル名を含む部品データ関連情報とを対応付けて記録する領域を含む。
【手続補正３】
【補正対象書類名】明細書
【補正対象項目名】００１３
【補正方法】変更
【補正の内容】
【００１３】
請求項２に記載の電子書籍コンテンツは、請求項１記載の電子書籍コンテンツであって、表示領域とはページである。
【手続補正４】
【補正対象書類名】明細書
【補正対象項目名】００１５
【補正方法】変更
【補正の内容】
【００１５】
請求項３に記載の電子書籍コンテンツは、請求項１記載の電子書籍コンテンツであって、本文データ部は、表示領域内での部品データの再生方法を指定するイベントデータを含むことを特徴とする。
【手続補正５】
【補正対象書類名】明細書
【補正対象項目名】００１７
【補正方法】変更
【補正の内容】
【００１７】
請求項４に記載の電子書籍コンテンツは、請求項１記載の電子書籍コンテンツであって、識別子は、部品データの部分に対して設定され、部品データ登録部は、識別子を部品データの部分に対応付けて記録する領域を持つ。
【手続補正６】
【補正対象書類名】明細書
【補正対象項目名】００１９
【補正方法】変更
【補正の内容】
【００１９】
請求項５に記載の電子書籍コンテンツは、請求項３記載の電子書籍コンテンツであって、本文データ部は、電子書籍コンテンツを表示する時の表示形態に対応したイベントデータを複数含む。
【手続補正７】
【補正対象書類名】明細書
【補正対象項目名】００２５
【補正方法】変更
【補正の内容】
【００２５】
請求項８に記載の電子書籍コンテンツが記録された記録媒体は、本文データ部と部品データ登録部と部品データとを含む電子書籍コンテンツが記録されたコンピュータによって読み取り可能な記録媒体であって、本文データ部は、複数の表示領域を表示順に指定する記述と、表示領域において表示または再生する部品データに対して設定された識別子を指定する記述とを含み、部品データ登録部は、部品データごとに、部品データに設定された前記識別子と、部品データのファイル名を含む部品データ関連情報とを対応付けて記録する領域を含む。
【手続補正８】
【補正対象書類名】明細書
【補正対象項目名】００２７
【補正方法】変更
【補正の内容】
【００２７】
請求項９に記載の電子書籍表示装置は、本文データ部と部品データ登録部と部品データとを含む電子書籍コンテンツを表示する電子書籍表示装置であって、本文データ部は、複数の表示領域を表示順に指定する記述と、表示領域において表示または再生する部品データに対して設定された識別子を指定する記述とを含み、部品データ登録部は、部品データごとに、部品データに設定された識別子と、部品データのファイル名を含む部品データ関連情報とを対応付けて記録する領域を含み、本文データ部を読み込むための本文データ読込手段と、本文データ読込手段によって読み込まれた表示領域ごとに、表示領域において表示または再生する部品データに対して設定された識別子を参照して、部品データ登録部に記録された、識別子に対する部品データ関連情報を参照して、部品データを読み込むためのオブジェクト読込手段と、オブジェクト読込手段によって読み込まれた部品データを表示領域において表示または再生するための出力手段とを含む。
【手続補正９】
【補正対象書類名】明細書
【補正対象項目名】００２９
【補正方法】変更
【補正の内容】
【００２９】
請求項１０に記載の電子書籍表示装置は、請求項９記載の電子書籍表示装置であって、本文データ部は、表示領域内での部品データの再生方法を指示するイベントデータを含み、電子書籍表示装置はさらに、イベントデータを読み込むイベント読込手段を含み、出力手段は、イベント読込手段によって読み込まれたイベントデータに応じて、部品データの表示または再生方法を制御することを特徴とする。
【手続補正１０】
【補正対象書類名】明細書
【補正対象項目名】００３１
【補正方法】変更
【補正の内容】
【００３１】
請求項１１に記載の電子書籍送信装置は、本文データ部と部品データ登録部と部品データ部とを含む電子書籍コンテンツを送信する電子書籍送信装置であって、本文データ部は、複数の表示領域を表示順に指定する記述と、表示領域において表示または再生する部品データに対して設定された識別子を指定する記述とを含み、部品データ登録部は、部品データごとに、部品データに設定された識別子と、部品データのファイル名を含む部品データ関連情報とを対応付けて記録する領域を含み、電子書籍コンテンツを複数格納するための格納手段と、格納手段に格納された複数の電子書籍コンテンツの中から所望の電子書籍コンテンツを送信するための送信手段とを含む。
【手続補正１１】
【補正対象書類名】明細書
【補正対象項目名】００３２
【補正方法】変更
【補正の内容】
【００３２】
送信手段は、格納手段に格納された複数の電子書籍コンテンツの中から所望の電子書籍コンテンツを送信するので、編集作業に要する時間を削減できる電子書籍コンテンツを送信することが可能となる。
請求項１２に記載の電子書籍コンテンツは、請求項５記載の電子書籍コンテンツであって、表示する時の表示形態には、電子書籍コンテンツを見開き状態で表示する第１の形態と、１画面で表示する第２の形態とが存在し、イベントデータには、少なくとも、第１の形態時のみに実行される見開き用イベントデータと、第２の形態時のみに実行される片面用イベントデータと、第１の形態と第２の形態とのいずれであっても実行される共用イベントデータとを含む。
請求項１３に記載の電子書籍コンテンツは、請求項１〜７のいずれかに記載の電子書籍コンテンツであって、部品データ登録部には、部品データ毎に試読制御方法を指定する情報が記述される。
請求項１４に記載の電子書籍コンテンツは、請求項３記載の電子書籍コンテンツであって、イベントデータは、部品データを表示するタイミングを指示する情報を含む。
請求項１５に記載の電子書籍コンテンツは、請求項３記載の電子書籍コンテンツであって、イベントデータは、表示部に表示された部品データ内を指示することに応答して実行する処理内容を記録する情報を含む。